(57)【特許請求の範囲】
【請求項１】
車両のドアインナパネルの車内側に設けられる車両用ドアトリムにおいて、
当該車両用ドアトリムは、
前記ドアインナパネルを覆う被覆部と、
前記被覆部のうちピラー側の縁から前記ドアインナパネル側に延びる側壁部と、
前記ドアトリムのドアインナパネル側にて前記被覆部と前記側壁部とにまたがって設けられ該ドアインナパネルに接続される接続部材が取付可能な台座部と、
前記側壁部のうち前記台座部がまたがっている領域に線状に設けられる側壁薄肉部と、
を備え、
前記側壁薄肉部は、前記ピラーの車内側の端よりも車外側に設けられていることを特徴とする車両用ドアトリム。
【請求項２】
前記台座部は、
前記被覆部から前記ドアインナパネル側に延びた脚部と、
前記脚部の先端に設けられ前記ドアインナパネルに対面していて前記接続部材が嵌められる天面部と、
を有し、
前記側壁薄肉部は、前記天面部に平行に設けられていることを特徴とする請求項１に記載の車両用ドアトリム。
【請求項３】
当該車両用ドアトリムはさらに、前記台座部に線状に設けられる台座薄肉部を備えることを特徴とする請求項１または２に記載の車両用ドアトリム。
【請求項４】
前記台座薄肉部が前記側壁薄肉部から連続して延びていることを特徴とする請求項３に記載の車両用ドアトリム。
【発明の詳細な説明】
【技術分野】
【０００１】
本発明は、車両のドアインナパネルの車内側に設けられる車両用ドアトリムに関するものである。
【背景技術】
【０００２】
車両のドアに設けられているドアトリムは、主に樹脂製であって乗員が寄りかかることが多く、乗員の体格に応じた荷重が日常的にかけられる。また、側面衝突等の緊急時には、ドアトリムには車外側のドアアウタパネルやドアインナパネル等の変形に伴った大きな荷重がかけられ、車内側からも乗員やサイドエアバッグ等の接触による大きな荷重がかけられる。これらのように荷重を受ける機会が多いドアトリムには、割れ目などが生じて乗員に接触することなどがないよう、相応の強度が必要になっている。その一方で、乗員が接触した際に負荷を吸収できるよう、ある程度の柔軟性も求められている。
【０００３】
例えば特許文献１に開示されているドアトリムでは、乗員の胸部側面に近い箇所を軟質な樹脂材料によって成形したうえで、その箇所のドアインナパネル側にレーザの照射によって薄肉化されたレーザ照射部（薄肉部）を設けている。これによって、特許文献１では、乗員の衝突荷重を効果的に吸収することができると述べている。
【先行技術文献】
【特許文献】
【０００４】
【特許文献１】特開２００５−３２９８０５号公報
【発明の概要】
【発明が解決しようとする課題】
【０００５】
しかしながら、特許文献１の技術では、乗員が接触する箇所に薄肉部を設けているため、万が一、緊急時の荷重によって薄肉部にき裂が生じて割れた場合、割れ目に乗員が接触するおそれがある。また、薄肉部を設ける手法にあたって、レーザの照射よりも低廉な手法も望まれている。
【０００６】
本発明は、このような課題に鑑み、衝撃を緩和することが可能で、乗員が接触する箇所への割れ目の発生を防ぎ、より低廉な手法で実施することが可能な車両用ドアトリムを提供することを目的としている。
【課題を解決するための手段】
【０００７】
上記課題を解決するために、本発明にかかる車両用ドアトリムの代表的な構成は、車両のドアインナパネルの車内側に設けられる車両用ドアトリムにおいて、当該車両用ドアトリムは、ドアインナパネルを覆う被覆部と、被覆部の縁からドアインナパネル側に延びる側壁部と、ドアトリムのドアインナパネル側にて被覆部と側壁部とにまたがって設けられドアインナパネルに接続される接続部材が取付可能な台座部と、側壁部のうち台座部がまたがっている領域に線状に設けられる側壁薄肉部と、を備えることを特徴とする。
【０００８】
上記の構成によれば、緊急時等に荷重を受けた場合に、台座部の付け根付近において側壁薄肉部を起点としてたわみが生じ、乗員に与え得る衝撃を緩和することができる。特に、側壁薄肉部は、車両用ドアトリムの縁である側壁部に設けているため、仮に割れ目等が生じても乗員が接触する可能性が低くなっている。
【０００９】
上記の台座部は、被覆部からドアインナパネル側に延びた脚部と、脚部の先端に設けられドアインナパネルに対面していて接続部材が嵌められる天面部と、を有し、側壁薄肉部は、天面部に平行に設けられていてもよい。天面部は、接続部材でドアインナパネルと接続するため荷重が集中しやすい。しかし、側壁薄肉部が天面部と平行に設けられることで、天面部に集中する荷重を効率よく吸収することができる。
【００１０】
当該車両用ドアトリムはさらに、台座部に線状に設けられる台座薄肉部を有してもよい。この構成によって、乗員に与え得る衝撃をさらに緩和することが可能になる。また、台座部は、当該車両用ドアトリムとドアインナパネルとの接続箇所であり、本来的に剛性が高くなりやすい。そのため、台座部は、例えば乗員が接触しない箇所に設けるなど、設置箇所が制限されていた。しかしながら、上記構成によれば、台座薄肉部によって台座部の剛性を下げることができるため、台座部をより自由に設けることが可能になる。
【００１１】
当車両用ドアトリムは、上記の台座薄肉部が側壁薄肉部から連続して延びていてもよい。この構成によって、乗員に与え得る衝撃をより緩和することが可能になる。
【発明の効果】
【００１２】
本発明によれば、衝撃を緩和することが可能で、乗員が接触する箇所への割れ目の発生を防ぎ、より低廉な手法で実施することが可能な車両用ドアトリムを提供することが可能になる。
【図面の簡単な説明】
【００１３】
【図１】本発明の実施形態にかかる車両ドアトリムを示す図である。
【図２】図１（ｂ）のＡ−Ａ断面図である。
【図３】図１（ａ）とは異なる台座部をそれぞれ示した図である。
【図４】図３（ａ）の台座部のＢ−Ｂ断面図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
図１は、本発明の実施形態にかかる車両ドアトリム（以下、ドアトリム１００）を示す図である。図１（ａ）は、当該ドアトリム１００を実装した車両右側の車両ドア１０２を車内側から示した図である。以下、図１その他の本願のすべての図面において、車両前後方向をそれぞれ矢印F(Forward)、B(Backward)、車幅方向の左右をそれぞれ矢印L(Leftward)、R(Rightward)、車両上下方向をそれぞれ矢印U(upward)、D(downward)で例示する。
【００１６】
ドアトリム１００は、車両ドア１０２のドアインナパネル１０４の車内側に設けられる樹脂製の部材である。ドアトリム１００のうち、ドアインナパネル１０４を広く覆っている被覆部１０６は、いわゆる意匠面であって、アームレスト１０８が設けられたり、表面処理が施されたりするなど、車室内の美観を向上させている。
【００１７】
図１（ｂ）は、図１（ａ）のドアトリム１００の車両後方側上部を車外側（ドアインナパネル１０４側）から示した図である。ドアトリム１００のドアインナパネル１０４側の面には、台座部１１０が設けられている。台座部１１０は、ドアインナパネル１０４に接続されるクリップ１２０（図２参照）等の接続部材が取り付けられる部位である。台座部１１０は、被覆部１０６と、被覆部１０６の縁からドアインナパネル１０４側に延びる側壁部１１２とにまたがって設けられている。
【００１８】
当該ドアトリム１００では、側壁部１１２のうち台座部１１０がまたがっている領域に、側壁薄肉部１１４が設けられている。側壁薄肉部１１４は、線状に設けられた板厚が薄くなっている部分であって、緊急時などに乗員等がドアトリム１００に接触したときの衝撃を緩和する機能を有している。
【００１９】
図２は、図１（ｂ）のＡ−Ａ断面図である。台座部１１０は、脚部１１６と天面部１１８とを有している。脚部１１６は被覆部１０６からドアインナパネル１０４側に立ち上がって延びていて、天面部１１８は脚部１１６の先端と側壁部１１２とに渡って設けられている。天面部１１８は、ドアインナパネル１０４に対面する形状になっていて、接続部材の例としてクリップ１２０が嵌め込まれる。このクリップ１２０を介して、台座部１１０はドアインナパネル１０４に接続される。
【００２０】
側壁薄肉部１１４は、脚部１１６と天面部１１８とで囲われた範囲内の側壁部１１２に、溝状に掘り込まれて設けられている。側壁薄肉部１１４がこの位置に設けられていることで、例えば被覆部１０６に乗員が接触した場合において、側壁部１１２をあえてたわませることができる。特に、台座部１１０はクリップ１２０でドアインナパネル１０４に接続しているために、ドアトリム１００のうち台座部１１０の付け根付近は本来的に剛性が高まりやすい箇所である。この箇所にて側壁部１１２がたわむことで、荷重を効率よく吸収し、乗員に与える衝撃を緩和することができる。
【００２１】
また、例えば側面衝突時等において、車外側のドアインナパネル１０４からドアトリム１００へと衝撃が加えられる場合もある。その場合も、台座部１１０の付け根付近がたわむことで被覆部１０６が受ける荷重がやわらげられ、被覆部１０６の変形や破損を抑えることができる。
【００２２】
側壁薄肉部１１４は、板厚の薄いいわば脆弱な箇所であるので、それ以外の箇所に比べるとき裂を招きやすい面もある。しかしながら、本実施形態では、側壁薄肉部１１４は、ピラー１０９等の近傍であって乗員とは接触しない側壁部１１２に設けているため、き裂や割れ目等が生じても乗員に触れるおそれはない。
【００２３】
図３は、図１（ａ）とは異なる台座部をそれぞれ示した図である。図３（ａ）に示す台座部１２２では、脚部１２４が側壁部１１２に交差するように設けられている。この例においても、側壁部１１２のうち、天面部１２６と脚部１２４がまたいでいる領域に側壁薄肉部１２８が設けられている。
【００２４】
側壁薄肉部１２８は、天面部１２６に平行に延びている。天面部１２６はクリップ１２０（図２参照）でドアインナパネル１０４と接続することで荷重が集中しやすいが、その荷重は天面部１２６の近傍の側壁薄肉部１２８が天面部１２６に沿ってたわむことで効率よく吸収される。したがって、被覆部１０６に乗員が接触した場合にも、乗員に与え得る衝撃を緩和することができる。
【００２５】
図３（ｂ）に示す台座部１３０は、側壁部１１２に天面部１３２が接続していて、脚部１３４が天面部１３２の縁に沿って側壁部１１２から被覆部１０６に渡って設けられている。この例では、天面部１３２と被覆部１０６との間の側壁部１１２に、天面部１３２に平行な側壁薄肉部１３６が設けられている。
【００２６】
台座部１３０では、脚部１３４にも台座薄肉部１３８が設けられている。台座薄肉部１３８は、側壁薄肉部１３６から連続して天面部１３２に沿って延びている。台座薄肉部１３８もまた、脚部１３４の板厚を薄くすることで形成された部位である。
【００２７】
側壁部１１２に設けられた側壁薄肉部１３６と、脚部１３４に設けられた台座薄肉部１３８とは、天面部１３２に平行な線状に設けられている。これら側壁薄肉部１３６と台座薄肉部１３８とがたわむことで、天面部１３２に集中する荷重を吸収することができる。したがって、被覆部１０６に接触した乗員に与え得る衝撃をより緩和することができ、ドアインナパネル１０４（図２参照）からドアトリム１００へと伝わる荷重もより吸収することができる。
【００２８】
上記の各台座部（台座部１１０、１２２、１３０）は、ドアトリム１００とドアインナパネル１０４（図２参照）との接続箇所であり、本来的に剛性が高くなりやすい。そのため、従来は、例えば乗員が接触しない箇所に設けるなど、設置箇所に制限が貸されていた。しかしながら、当該ドアトリム１００によれば、各側壁薄肉部１１４、１２８、１３６や台座薄肉部１３８によって各台座部の剛性を下げることができるため、これら台座部をより自由に設けることが可能になる。
【００２９】
また、当該ドアトリム１００は、上記の各薄肉部によってある程度の柔軟性を発揮可能になっているため、例えば被覆部１０６にシートサイドエアバッグが触れた場合にも、シートサイドエアバッグを円滑に膨張させることができる。
【００３０】
図４は、図３（ａ）の台座部１２２のＢ−Ｂ断面図である。当該ドアトリム１００では、側壁薄肉部１２８は、射出成形時に台座部１２２と共に設けている。
【００３１】
ドアトリム１００は、主に樹脂製であるため、射出成形によって製造される。まず、第１の型抜きは、広い面である被覆部１０６に対向する方向へと行う。そのため、被覆部１０６と側壁部１１２とを成形する金型１４０、１４２は、車幅方向へと抜かれる。
【００３２】
台座部１２２は、金型１４０、１４２のみでは成形できない、いわゆるアンダーカット形状であって、スライドコア１４４を利用して成形する。そのため、第２の型抜きとして、スライドコア１４４は金型とは交差する方向へ型抜きされる。
【００３３】
側壁薄肉部１２８は、スライドコア１４４によって、台座部１２２の天面部１２６等と共に成形される。この構成であれば、側壁薄肉部１２８は、ドアトリム１００自体の射出成形時に低廉に設けることができる。
【００３４】
なお、図３（ｂ）に示した台座薄肉部１３８も、台座部１３０を成形する際のスライドコアを利用して成形することが可能である。これら、スライドコアによって各薄肉部を成形する手法であれば、スライドコアの改修によって、例えばドアトリム１００が乗員の胸部、腹部、腰部等と接触した場合の各傷害値に応じて各薄肉部の位置や幅、深さなども容易に調整することが可能である。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、車両のドアインナパネルの車内側に設けられる車両用ドアトリムに利用することができる。
【符号の説明】
【００３７】
１００…ドアトリム、１０２…車両ドア、１０４…ドアインナパネル、１０６…被覆部、１０８…アームレスト、１１０…台座部、１１２…側壁部、１１４…側壁薄肉部、１１６…脚部、１１８…天面部、１２０…クリップ、１２２…台座部、１２４…脚部、１２６…天面部、１２８…側壁薄肉部、１３０…台座部、１３２…天面部、１３４…脚部、１３６…側壁薄肉部、１３８…台座薄肉部、１４０、１４２…金型、１４４…スライドコア
【図１】
0006724501.tif 000002
【図２】
0006724501.tif 000003
【図３】
0006724501.tif 000004
【図４】
0006724501.tif 000005